(57)【要約】【課題】  領収書のような長さの異なる印刷用紙にファイル用に穴あけする手段を明確にする。【解決手段】  ロール紙１１を領収書に用い、ロール紙１１から出口方向に向かって直列に穴あけ部１４および切裂部１５を備え、その前後いずれかに印刷部１３を備える。この構成により、ロール紙１１の先頭端辺近辺で、印刷部１３による印刷前に穴あけ部１４によりファイル用穴をあけて領収書データの入力を待つことができる。この結果、長さの異なる定幅の領収書にファイル用穴をあけて印刷終了後に速やかに切裂部１５により領収書をロール紙１１の先端部分から切離して顧客に渡すことができる。【選択図】    図１
2006051710.tif 000002
【特許請求の範囲】
【請求項１】
ＰＯＳ（Point Of Sales）システムで出力する領収書に、整理保存用の穴あけを実行する領収書用プリンタにおいて、印刷用に等幅でロール状に形成されたロール紙を用紙に用い、搬送ローラを駆動して前記用紙を出口に送る紙送り用モータが穴あけのため前記用紙を所定の位置に停止させた際には穴あけ部に指示して当該用紙の先頭端辺近辺でユーザにより予め指定された位置に領収書ファイル用の穴あけを実行し、その後、領収書データの入力があった際には印刷部および前記紙送り用モータに指示してユーザにより前記用紙内に予め指定された印刷領域に前記領収書データを印刷し、印刷の終了で切裂部に指示して印刷完了した領収書を用紙から切り離して用紙の切裂先端を領収書の先頭端辺に形成し、前記紙送り用モータに指示して切り離された領収書を搬出すると共に次の印刷のため前記用紙を所定の位置に停止させるよう制御する制御部を備えることを特徴とするＰＯＳシステムにおける領収書用プリンタ。
【請求項２】
請求項１に記載のＰＯＳシステムにおける領収書用プリンタにおいて、前記先頭端辺と並行する予め指定される穴あけ位置は、前記先頭端辺と用紙送り方向の中心線とを基準とすることを特徴とするＰＯＳシステムにおける領収書用プリンタ。
【請求項３】
請求項１に記載のＰＯＳシステムにおける領収書用プリンタにおいて、指定された穴あけ位置が前記用紙の送り方向に対して印刷領域の幅方向にある場合、予め指定される穴あけ位置は前記先頭端辺と用紙送り方向における両側辺のうち一方の側辺とを基準とし、前記制御部は、前記穴あけ位置を検出した際に用紙送りおよび印刷を一時停止して穴あけ処理を実行したのち、用紙送りおよび印刷を再開し続行するよう制御することを特徴とするＰＯＳシステムにおける領収書用プリンタ。
【請求項４】
請求項１に記載のＰＯＳシステムにおける領収書用プリンタにおいて、前記ロール紙側から用紙の出口に向かって前記印刷部、前記穴あけ部、および前記切裂部の順に配備され、前記制御部は、印刷開始で用紙送りを開始し、印刷終了で所定位置まで用紙送りしたのち領収書を切り離して送出するよう制御することを特徴とするＰＯＳシステムにおける領収書用プリンタ。
【請求項５】
請求項１に記載のＰＯＳシステムにおける領収書用プリンタにおいて、前記ロール紙側から用紙の出口に向かって前記穴あけ部、前記切裂部、および前記印刷部の順に配備され、前記制御部は、用紙の切り裂きおよび穴あけの実行に次いで所定位置まで用紙送りしたのち領収書データ入力待ちとなり、領収書データ入力により印刷開始し、印刷終了した際に直ちに領収書を切り離して送出するよう制御することを特徴とするＰＯＳシステムにおける領収書用プリンタ。
【請求項６】
請求項１に記載のＰＯＳシステムにおける領収書用プリンタにおいて、更に、領収書データを含む入力を受付けする入力部と、文字・画像の画面表示部とを備え、前記制御部は、ユーザによる前記入力部からの指定を前記画面表示部に画面表示して穴あけ位置を設定保持し、かつ、前記入力部からの領収書データを領収書として前記用紙に印刷することを特徴とするＰＯＳシステムにおける領収書用プリンタ。
【請求項７】
請求項６に記載のＰＯＳシステムにおける領収書用プリンタにおいて、前記制御部は、前記入力部から入力する領収書データを、領収書として印刷出力すると共に外部情報処理端末へも送出することを特徴とするＰＯＳシステムにおける領収書用プリンタ。
【発明の詳細な説明】
【技術分野】
【０００１】
本発明は、ＰＯＳ（Point Of Sales）システムで出力される領収書に、整理保存用の穴あけを実行する領収書用プリンタに関するものである。
【背景技術】
【０００２】
従来のＰＯＳシステムにおける領収書用プリンタでは、出力する領収書に、少なくとも二つの並行直立するチューブまたはパイプに差し込んでファイルとして整理保存するための穴をあける機能を有するものは無かった。したがって、顧客は、受け取った領収書に穴あけ具により穴を開けてファイルしていた。
【０００３】
例えば、図９に示されるようなスポットファイル（登録商標）が市販されている。スポットファイルはプラスチック製の台紙１０１の一端辺付近に間隔Ｐで平行直立する二本の円筒形のパイプ１０２を設け、その先端部を上記底辺から伸びる留め具１０３で閉じる簡易型のファイルである。領収書をこのようなファイルに閉じて整理する場合、領収書の先頭端辺近くに、ファイルのパイプ位置に合致した間隔Ｐを有する二つの円形の穴が必要である。
【０００４】
一方、汎用プリンタでは、特開２００１−２１３０１０号公報（特許文献１）に開示されたパンチング機能付きプリンタがある。
【０００５】
このパンチング機能付きのプリンタ１１０は、例えば、図１０に示されるような構成を有する。用紙案内１１１に重ねられた印刷用紙１１１ａはＡ４版用紙のように大きさが限定されている。印刷用紙１１１ａは、紙送り用モータ１１４が駆動する搬送ローラ１１４ａ，１１４ｂにより、印刷部１１２および穴あけ部１１３を通過させられて、トレイ１１５に搬出される。印刷部１１２には印刷用紙１１１ａに印刷される画像が予め保持されている。穴あけ部１１３には印刷用紙１１１ａのどの位置に穴を開けるかが予め設定されている。したがって、搬出された印刷用紙１１１ａには予め保持された画像が印刷されると共に、予め設定した位置に穴あけがなされる。
【０００６】
しかし、ＰＯＳシステムによりプリンタから出力される領収書には、購入品目ごとの名称、単価、数量、および合価、並びに購入総額、預かり金額、およびつり銭金額などが印字される。したがって、領収書は購入品目数に応じてその長さが相違する。このため、例えば日用品の買い物に対応する量販店では、通常、顧客ごとに大幅に長さを異にする領収書が出力される。
【０００７】
すなわち、特許文献１で開示されたプリンタでは、領収書のように、長さの異なる出力に対応した穴あけ手段の開示が無いという問題がある。
【０００８】
【特許文献１】特開２００１−２１３０１０号公報
【発明の開示】
【発明が解決しようとする課題】
【０００９】
解決しようとする課題は、領収書のような長さの異なる印刷用紙を印字・印画して出力する領収書用プリンタにあって、出力する領収書にファイル用の穴あけを実施する手段を明確にできていないことである。
【課題を解決するための手段】
【００１０】
本発明は、ＰＯＳ（Point Of Sales）システムで出力する領収書のような長さの異なる印刷用紙に整理保存用の穴あけをして出力するのに適した領収書用プリンタを提供するものである。
【００１１】
本発明による領収書用プリンタは、印字・印画のための印刷用紙（以後、用紙と呼称する）に等幅でロール状に形成される用紙（以後、ロール紙と呼称する）を用い、紙送り用モータおよび搬送ローラと、穴あけ部と、印刷部と、切裂部と、制御部とを主要構成として備えている。また、制御部が他の構成要素をプログラム制御して所定の機能を実行する。
【００１２】
紙送り用モータは、搬送ローラを駆動して前記用紙を出口まで搬送し、印刷のため前記用紙を所定の位置に停止させると共に、必要な用紙送りを実行する。穴あけ部は、紙送り用モータにより用紙が所定位置まで送られ停止した際に、用紙の先頭端辺近辺でユーザにより予め指定された位置に領収書ファイル用の穴あけを実行する。印刷部は、領収書データの入力があった際に、ユーザにより用紙内に予め指定された印刷領域に、紙送り用モータによる用紙送りと協同して、入力した領収書データを印刷する。切裂部は、印刷の終了で印刷完了した領収書を用紙から切り離して用紙の切裂先端を次の領収書の先頭端辺に形成する。
【００１３】
上述した穴あけの位置は穴あけ部、印刷領域は印刷部、それぞれに、ユーザにより入力手段から予め指定入力保持され、制御部が位置データを検出して紙送り用モータの駆動と停止とを制御する。上述した先頭端辺に平行なファイル用穴の予め指定される位置は、先頭端辺と用紙の送り方向の中心線とを基準として設定することができる。
【００１４】
領収書が、例えばガソリンスタンドの領収書のように、購買項目数が限定されており、用紙の送り方向の長さが一定、すなわち領収書の大きさが一定の場合、指定された穴あけ位置は、先頭端辺および後尾端辺の一方または両方と用紙の送り方向に平行な一方または両方の側辺とを基準として設定され前記用紙の送り方向に対して印刷領域の幅方向に設定できる。この場合、指定された穴あけ位置は用紙の送り方向に対して印刷領域の幅方向側に設定され、制御部が穴あけ位置を検出した際に用紙送りおよび印刷を一時停止して穴あけ処理を実行したのち、用紙送りおよび印刷を再開し続行している。
【００１５】
また、ロール紙側から用紙の出口に向かって印刷部、穴あけ部、および切裂部の順に配備することにより、印刷開始で用紙送りを開始し、印刷終了で所定位置まで用紙送りして領収書を搬出することになる。この配列では、毎回、印刷終了後、領収書搬出までに用紙送りの時間を必要とする。
【００１６】
他方、ロール紙側から用紙の出口に向かって穴あけ部、切裂部、および印刷部の順に配備する場合、穴あけの実行に次いで所定位置まで用紙送りして領収書データ入力待ちとなり、領収書データ入力により印刷終了した際に直ちに領収書を搬出することができる。したがって、この配列では、搬出された領収書を顧客に渡している間に穴あけと用紙送りとが完了するので、最短の所要時間で、すなわち最高効率を発揮して領収書を搬出できる。
【００１７】
また、上述する領収書用プリンタにおいて、更に、領収書データを含む入力を受付けする入力部と、文字・画像の画面表示部とを備えることができる。この構成で制御部は、ユーザによる入力部からの指定を画面表示部に画面表示して穴あけ位置を設定保持し、かつ、入力部からの領収書データを領収書として用紙に印刷することができる。すなわち、この領収書用プリンタは小売店での単独使用が可能である。
【００１８】
更に、この領収書用プリンタは、制御部から印刷データを外部の情報処理端末であるＰＯＳ用端末に送出することにより管理センターに送付する領収書データの整理が可能であり、またはパーソナルコンピュータに印刷データを送出することにより小売店での販売管理が可能である。
【発明の効果】
【００１９】
本発明のＰＯＳシステムにおける領収書用プリンタは、用紙に等幅のロール紙を用い、紙送り用モータおよび搬送ローラと印刷部と穴あけ部と切裂部と制御部とを主要構成として備え、制御部が各構成要素を制御して、紙送り用モータが穴あけのため用紙を所定位置に停止させた際に穴あけ部が穴あけを実行し、領収書データの入力で印刷部が領収書データを印刷し、印刷終了で切裂部が用紙を切裂いて領収書を切り離したのち、紙送り用モータが印刷のため用紙を所定位置に停止させている。このように用紙を所定の位置に移動しまたは停止する処理を実行するため、紙送り用モータは搬送ローラを駆動している。したがって、連続する用紙は領収書として適切な長さで切り裂き切り離されている。
【００２０】
また、印刷中に制御部が穴あけ位置を検出した際には、用紙送りおよび印刷を一時停止して穴あけ処理を実行したのち、用紙送りおよび印刷を再開し続行することができる。その結果、指定された穴あけ位置は、前記用紙の送り方向に対して印刷領域の幅方向に設定できる。すなわち、領収書の大きさが一定の場合の穴あけは、領収書の先頭端辺近辺に加えて用紙の送り方向に平行な両方の側辺近辺のうち、少なくとも一方の位置に設定してよい。
【発明を実施するための最良の形態】
【００２１】
量販店における領収書のような長さの異なる印刷用紙に整理保存用の穴あけをして出力するのに適した領収書用プリンタを提供するという目的を、印字・印画のための印刷用紙（以後、用紙と呼称する）に等幅でロール状に形成の用紙（以後、ロール紙と呼称する）を用い、紙送り用モータおよび搬送ローラと、穴あけ部と、印刷部と、切裂部と、制御部とを主要構成として備え、制御部が他の構成要素をプログラム制御して所定の機能を実行することにより実現した。
【００２２】
紙送り用モータは、制御部の制御を受け、搬送ローラを駆動して用紙を出口まで送り、印刷および穴あけのため用紙を所定の位置に停止させると共に、必要な用紙送りを実行する。穴あけ部は、制御部の制御を受け、紙送り用モータにより用紙が所定位置まで送られ停止した際に、用紙の先頭端辺近辺でユーザにより予め指定された位置に領収書ファイル用の穴あけを実行する。印刷部は、制御部の制御を受け、制御部に領収書データの入力があった際に、ユーザにより用紙内で予め指定された印刷領域に、紙送り用モータによる用紙送りと共同して、入力した領収書データを印刷する。切裂部は、制御部の制御を受け、印刷の終了で印刷完了した領収書を用紙から切り離して用紙の切裂先端を次の領収書の先頭端辺に形成する。
【００２３】
次に、図面を参照していくつかの代表的な実施例について説明する。図面は本発明に関する部分を示し、システムおよび装置として必要な構成要素でも、例えば保守運用におけるような構成については図示とその説明とが省略される。
【実施例１】
【００２４】
本発明の実施例1について図１から図３までを参照して説明する。
【００２５】
図１は、本発明による領収書用プリンタ１０における機能ブロックの実施の一形態を示す説明図である。
【００２６】
図２は領収書用プリンタ１０から搬出される領収書３０の表面の一形態を示す説明図である。
【００２７】
図３は領収書用プリンタ１０の主要動作手順の一形態を示すフローチャートである。
【００２８】
ここで、販売店が、ファイルを所望する顧客に領収書と共に上記図９で図示され説明されたスポットファイルを無料提供するものとする。したがって、あけられるファイル用穴は間隔Ｐを有するものである。
【００２９】
まず、図1および図２を併せ参照して説明する。
【００３０】
領収書用プリンタ１０は、ロール紙１１、紙送り用モータ１２、印刷部１３、穴あけ部１４、切裂部１５、制御部１６、および記憶部１７を備え、ＰＯＳ用端末２０と接続している。ＰＯＳ用端末２０は領収書データ受付処理部２１を含むものである。
【００３１】
搬出される領収書３０は、最初に送り出される先頭端辺３１、先頭端辺３１に続いてその近辺に位置する穴あけ領域３２、領収書の印刷領域３３、および後尾端辺３４を順に有する。穴あけ領域３２には、二つのファイル用穴３５があけられる。
【００３２】
ロール紙１１は、一定の幅を有する領収書用紙（以後、用紙と略称する）１１ａをロール状に形成したものであり、搬送ローラ１２ａ、印刷部１３、穴あけ部１４、搬送ローラ１２ｂ、および切裂部１５の順序で、紙送り用モータ１２が駆動する搬送ローラ１２ａ，１２ｂにより搬送通過して出口から送出される。
【００３３】
プリンタの形状または構造によっては、搬送ローラ１２ａ，１２ｂ以外に搬送ローラが配備されることがある。また、印刷部１３、穴あけ部１４、および切裂部１５といった構成要素は、無駄となる領収書３０の無印刷部分を少なくするため、更に用紙１１ａの逆送を避け、近接して配備される。
【００３４】
紙送り用モータ１２は、制御部１６の制御を受け、搬送ローラ１２ａ，１２ｂを駆動して用紙１１ａを出口まで送るものであり、印刷部１３での印刷時に印刷に応じて用紙１１ａを送り出す以外に、用紙１１ａにファイル用穴３４をあける穴あけ部１４と領収書３０を切り離すために用紙１１ａを切り裂く切裂部１５とのそれぞれの位置に用紙１１ａを搬送し停止させる。
【００３５】
印刷部１３は、制御部１６の制御を受け、ＰＯＳ用端末２０から受ける用紙１１ａ上の印刷領域３３の両端位置を予め記録保持し、ＰＯＳ用端末２０から受けた印刷データを用紙１１ａ上に印刷する。印刷の際には印刷データの量にしたがって紙送り用モータ１２が搬送ローラ１２ａ，１２ｂを駆動して用紙１１ａを連続搬送する。ここでは、インクジェットの走査線により「行」印刷を行うものとする。
【００３６】
穴あけ部１４は、制御部１６の制御を受け、ＰＯＳ用端末２０から受ける用紙１１ａ上の穴あけ位置を予め記録保持し、穴あけ手順の際にその位置に搬送ローラ１２ａ，１２ｂにより搬送された用紙１１ａに穴あけする。予め保持されるファイル用穴３４の位置は、ユーザにより指定された用紙１１ａの切裂先端である先頭端辺３１の近辺である。
【００３７】
これらの位置は、用紙１１ａの先頭端辺と用紙１１ａの送り方向に平行な一方の側辺とを基準として、ユーザの入力により設定され、紙送り用モータ１２と切裂部１５とにより検出される。
【００３８】
切裂部１５は、制御部１６の制御を受け、印刷部１３により用紙１１ａに印刷を終了した際に、紙送り用モータ１２により搬送され停止した用紙１１ａを、印刷領域３３から所定余白を有する領収書３０の後尾端辺３４の位置で切り裂いて、用紙１１ａ先端部分を領収書３０として用紙１１ａから切り離し用紙１１ａの切裂先端を次の領収書の先頭端辺３１に形成する。
【００３９】
制御部１６は、図３を参照して後に詳細を説明する。
【００４０】
記憶部１７は、制御部１６の動作機能を発揮するためのプログラム記憶領域、動作に必要な一時記憶領域などを有していると共に、穴あけ位置の設定プログラムを穴あけ制御ソフトウェアとして保持している。
【００４１】
具体的には、ＰＯＳ用端末２０が領収書用プリンタ１０を駆動し穴位置設定を要求した際には、穴あけ制御ソフトウェアが起動されて穴位置設定の画面がＰＯＳ用端末２０に表示され、用紙１１ａの切裂先端と領収書３０の送り方向での中心線とを基準として穴位置が設定される。この際、先頭端辺３１からの距離は、構造上最短距離、すなわち、穴あけ部１４と切裂部１５との間隔に設定される。二つの穴の間隔は顧客が所持するファイルの構造に一致する大きさ、すなわち、本実施例では、上述したように、図９におけるファイル用パイプの間隔Ｐに一致した位置、すなわち中心線から左右「Ｐ／２」の位置に設定される。
【００４２】
ＰＯＳ用端末２０は、販売管理のため、この端末を備える販売店を管理センターに結び、領収書データなどを含む販売データ等を管理センターに通知するものである。また、領収書データ受付処理部２１は、店員により入力される販売商品データ、集計データ、入金データなどを受付し、必要な集計などの演算結果、更に販売店名、販売処理店員名などの所定データを含む所定の領収書データにまとめて領収書用プリンタ１０および管理センターに送る。
【００４３】
領収書３０は、等幅Ｗ１とそれぞれで異なる長さＬａとを有し、その先頭端辺３１は用紙１１ａの切裂先端により形成される。穴あけ領域３２は、先頭端辺３１の近辺に位置してファイル用穴３５があけられ、領収書３０の印刷内容閲覧の便に供するため余裕を持たせるとよい。先頭端辺３１とファイル用穴３５との最短距離は、穴あけ部１４によりあけられる穴と切裂部１５により切り裂かれる用紙の先頭端辺との間隔となる。印刷領域３３は、用紙１１ａの送り方向の両側辺および領収書３０の後尾端辺３４それぞれから所定の余白をもって予め設定される。この余白も当然オプション指定により設定変更できる。
【００４４】
印刷領域３３は、領収書データの量によりその長さが異なる。印刷内容は、領収証、日付け、時刻、店名、商品名、単価、数量、合価などの文字印字の他、例えば量販店マーク、販売促進イラストなどの画像が加えられてもよい。後尾端辺３４は、領収書データの量により長さを異にする領収書３０を用紙１１ａから切り離す。二つのファイル用穴３５は、穴あけ領域３２内で先頭端辺３１に平行にかつ中央位置に穴あけされるが、直線上に複数を設けられてもよい。二つの穴の間隔Ｐは、上述したように、顧客が所有する例えば図９に示されるようなスポットファイルのパイプ間隔Ｐに一致する必要がある。
【００４５】
上述するように、穴あけ領域３２、印刷領域３３、およびファイル用穴３５それぞれの位置は、領収書３０の先頭端辺３１となる用紙１１ａの切裂先端と、領収書３０の送り方向に平行な側辺を有する用紙１１ａの中心線とを基準として設定されている。しかし、設定基準は、用紙１１ａの中心線ではなく、従来のプリンタと同様、領収書３０の平行な左右の側辺それぞれから異なる寸法で設定することもできる。
【００４６】
次に、図３に図１および図２を併せ参照して制御部１６の制御による領収書用プリンタ１０の主要動作手順の一形態について説明する。
【００４７】
まず、ユーザにより、ロール紙１１が所定位置に装着（手順Ｓ１）される。すなわち、ロール紙１１の先端が用紙１１ａとして引き出され案内ロールから搬送ロール１２ａに差し込まれる。
【００４８】
また、ユーザによりＰＯＳ用端末２０からプリンタを呼び出して位置設定を指定した際に、印刷領域３３の設定情報が印刷部１３、およびファイル用穴３５の穴あけ位置の設定情報が穴あけ部１４それぞれに、制御部１６の制御を介して受付けされ記憶（手順Ｓ２）される。上記手順Ｓ１、Ｓ２はその順序が逆であってもよい。
【００４９】
次いで、ユーザが印刷設定終了を入力するので、制御部１６は、これを受け、紙送り用モータ１２を駆動して用紙１１ａの先端を搬送ロール１２ａから印刷部１３、穴あけ部１４、搬送ロール１２ｂ、および切裂部１５を通過させ、出口まで送込み（手順Ｓ３）する。用紙１１ａが出口に到達したことは、例えば出口にセンサを備えて自動検出することができる。また、用紙送りボタンを備えてユーザの手動操作により紙送り用モータ１２を駆動することでもよい。
【００５０】
制御部１６は、用紙１１ａが出口に到達して停止したことにより印刷準備完了を知り、切裂部１５を駆動して用紙１１ａの先端部分を切り裂き切離し（手順Ｓ４）して領収書３０の先頭端辺３１を形成する。用紙１１ａは搬送ロール１２ｂで固定されている。
【００５１】
次いで、制御部１６は、穴あけ部１４を駆動して穴あけ位置を知り、用紙１１ａにファイル用穴３５を穴あけ処理（手順Ｓ５）したのち、領収書データの入力待ち（手順Ｓ６のＮＯ）となる。用紙１１ａの移動が必要な場合、制御部１６は紙送り用モータ１２を駆動して位置合わせするが、その移動は、上述した穴あけ領域３２内であり、わずかな範囲である。
【００５２】
手順Ｓ６が「ＹＥＳ」で領収書データの入力があった場合には、所定の領収書印刷処理（手順Ｓ７）が実行される。手順Ｓ７では、販売店の場合、例えばバーコードリーダで最初の商品のデータが入力された際、販売店名、電話番号、日付時刻、取扱い店員名などの所定事項に続いて、販売商品データが制御部１６の制御で印刷部１３により印刷される。印刷に伴い紙送り用モータ１２が駆動され用紙１１ａが移動する。最後の商品に対する入力が終了した際に店員により入金処理と集計要求とがあるので、領収書印刷処理の終了が認識できる。これら領収書データはＰＯＳ用端末２０で記憶され演算処理され印刷データのみが制御部１６に送られるものである。
【００５３】
手順Ｓ７の印刷処理終了で、制御部１６は、紙送り用モータ１２を駆動して印刷済みの用紙１１ａを出口方向に送出し（手順Ｓ８）し、印刷部１３にある印刷末尾が切裂部１５の切裂刃との間で所定の余白を有して領収書３０の後尾端辺３４を形成できるように停止する。
【００５４】
次いで、制御部１６は、切裂部１５を駆動して用紙１１ａを切裂き切離し（手順Ｓ９）し、領収書３０の後尾端辺３４と共に用紙１１ａの先頭端辺を形成させる。したがって、領収書３０が切り離される一方、制御部１６は手順Ｓ５に戻って穴あけ部１４を駆動し、停止中の用紙１１ａに穴あけし、手順Ｓ６の「ＮＯ」で次の領収書待ちとなる。
【００５５】
このような構成を採用したので、印刷の前に用紙を所定位置に停止させて穴あけを実行し、領収書データの入力を待って領収書データを印刷し、印刷終了で用紙を切り裂くことにより領収書を切り離して顧客に提供している。したがって、連続する用紙は領収書として適切な長さで切り裂き切り離されている。
【００５６】
このような処理手順のため、販売商品から商品データを入力した際には直ちに印刷を開始し、集計後に用紙送りの時間があるが、穴あけ処理は、次の顧客を迎える間に実行されるので、上述した従来の同一寸法用紙の印刷処理手順と同等の所要時間で顧客に領収書を渡すことができる。
【００５７】
上記説明では図面を参照しているが、機能ブロックにおける分離併合または手順における並行処理もしくは前後の入替えなどの変更は上記機能を満たす限り自由であり、上記説明が本発明を限定するものではない。
【実施例２】
【００５８】
本発明の実施例２について図４および図５に図１を併せ参照して説明する。
【００５９】
図４の実施例は、例えばガソリンスタンドのように、商品項目数が限定されているので、領収書５０の大きさが固定されている場合である。
【００６０】
図示されるように、実施例２の領収書５０は用紙１１ａの幅Ｗ２と搬送方向の長さＬ２との固定寸法を有している。また、この実施例２では、先頭端辺５１の近辺に縦方向ファイルのための穴あけ領域５２ａ、搬送方向表面の右側辺の近辺に横方向ファイルのための穴あけ領域５２ｂそれぞれを有し残る部分に領収書の印刷領域５３を有している。印刷領域５３は、左側辺と後尾端辺５３との間に余白を有している。穴あけ領域５２ａ，５２ｂそれぞれには、二つずつのファイル用穴５５ａ，５５ｂが穴あけ部１４によりあけられる。
【００６１】
したがって、穴あけ領域５２ｂ、印刷領域５３、ファイル用穴５５ｂなどの位置基準は、先頭端辺５１および後尾端辺５４の少なくとも一方と、ロール紙１１の送り方向に平行な側辺の少なくとも一方とから指定される。この場合、ＰＯＳ用端末２０から設定される領域指定は印刷部１３、また穴あけ位置は穴あけ部１４それぞれに制御部１６を介して記憶される。
【００６２】
次に、図５のフローチャートに図１を併せ参照して印刷領域を走査しつつ印刷する途中で穴あけ位置がある場合の動作について説明する。図５では、インクジェットによる走査線が「行」と表記してある。
【００６３】
まず、制御部１６が、紙送り用モータ１２を駆動して搬送ローラ１２ａ，１２ｂによる用紙１１ａの送りを開始（手順Ｓ１１）するが、穴あけ部１４から穴あけ位置「あり」を検出（手順Ｓ１２のＹＥＳ）した際には、その位置で用紙１１ａの送りを停止して穴あけ部１４を駆動し穴あけ処理（手順Ｓ１４）する。手順Ｓ１４の穴あけ処理終了で上記手順Ｓ１１に戻り、用紙１１ａの送りが再度開始される。穴あけ位置は穴あけ部１４に保持されている。
【００６４】
上記手順Ｓ１２が「ＮＯ」で穴あけ位置ではない場合、制御部１６は、紙送り用モータ１２を駆動して印刷行位置まで用紙１１ａを送って停止（手順Ｓ１５）し、その行の印刷（手順Ｓ１６）を実行する。次の行以降に印刷あり（手順Ｓ１７のＹＥＳ）の場合、制御部１６は、上記手順Ｓ１１に戻り、用紙１１ａの送りを再度開始する。
【００６５】
上記手順Ｓ１７が「ＮＯ」で以降の印刷がなく、店員の入金処理と集計要求とによる領収書印刷処理の終了を受付け（手順Ｓ１８）することにより手順は終了する。
【００６６】
本実施例２では、領収書５０の上部および右側の両者にファイル用穴５５ａ，５５ｂを設けているが、いずれか一方でもよい。また、実施例１のように長さの相違する領収書で、側辺に沿って穴あけする場合にも本実施例２が適用可能である。
【実施例３】
【００６７】
本発明の実施例３について図６および図７を参照して説明する。
【００６８】
図６は、本発明による領収書用プリンタ６０における機能ブロックの実施の一形態を示す説明図である。図６の実施例３が図１の実施例１と相違する個所は、穴あけ部、切裂部、および印刷部の配列順序である。すなわち、図１でロール紙側にあった印刷部は図６では領収書の出口側にある。
【００６９】
図７は領収書用プリンタ６０の主要動作手順の一形態を示すフローチャートである。
【００７０】
領収書用プリンタ６０は、ロール紙６１、紙送り用モータ６２、穴あけ部６３、切裂部６４、印刷部６５、制御部６６、および記憶部６７を備え、ＰＯＳ用端末２０と接続している。ＰＯＳ用端末２０は領収書データ受付処理部２１を含む。
【００７１】
すなわち、実施例３における構成では、穴あけ部６３、切裂部６４、および印刷部６５の配列順序、および紙送り用用モータ６２により駆動される搬送ローラ６２ｃが実施例１と相違したいる。したがって、実施例３における６０番台の構成要素は、下記記載内容を除き、実施例１における１０番台の構成要素それぞれに読み変えることができる。
【００７２】
すなわち、ロール紙６１は、一定の幅を有する領収書用紙（以後、用紙と略称する）６１ａであり、紙送り用モータ６２が駆動する搬送ローラ６２ａ，６２ｂ，６２ｃにより、搬送ローラ６２ａ、穴あけ部６３、搬送ローラ６２ｂ、切裂部６４、印刷部６５、および搬送ローラ６２ｃの順序でこれら構成要素を通過して出口から搬出される。
【００７３】
紙送り用モータ６２の用紙６１ａの送り時期は、上記構成要素の配列にしたがっており、上記実施例１とは相違している。したがって、図７の動作手順が実施例１と相違する。
【００７４】
次に、図７に図６および図２を併せ参照して制御部６６の制御による領収書用プリンタ６０の主要動作手順の一形態について説明する。
【００７５】
まず、ユーザにより、ロール紙６１が所定位置に装着（手順Ｓ２１）される。すなわち、ロール紙６１の先端が用紙６１ａとして引き出され案内ロールから搬送ロール６２ａに差し込まれる。
【００７６】
また、ユーザによりＰＯＳ用端末２０からプリンタを呼び出して位置設定を指定した際に、ファイル用穴３５の穴あけ位置の設定情報が穴あけ部６３、および印刷領域３３の設定情報が印刷部６５それぞれに、制御部６６の制御を介して受付けされ記憶（手順Ｓ２２）される。上記手順Ｓ２１、Ｓ２２はその順序が逆であってもよい。
【００７７】
次いで、ユーザが印刷設定終了を入力するので、制御部１６は、紙送り用モータ６２を駆動して用紙６１ａの先端を搬送ロール６２ａから穴あけ部６３、搬送ロール６２ｂ、切裂部６４、印刷部６５、および搬送ロール６２ｃを通過させ、出口まで送込み（手順Ｓ２３）する。用紙６１ａが出口に到達したことは、例えば出口にセンサを備えて自動検出することができる。また、用紙送りボタンを備えてユーザの手動操作により紙送り用モータ６２を駆動することでもよい。
【００７８】
次の動作では、制御部６６は、用紙６１ａが出口に到達したことにより印刷準備完了を知り、切裂部６５を駆動して用紙６１ａの先端部分を切り裂き処理（手順Ｓ２４）し、次いで、紙送り用モータ６２を駆動して搬送ロール６２ｃのみを送り動作させ、用紙６１ａの先端部分をプリンタ外部に送出（手順Ｓ２５）する。この状態では、用紙６１ａの先頭端辺は切裂部６４内に位置している。
【００７９】
次いで、制御部６６は、穴あけ部６３を駆動して穴あけ位置を知り、用紙６１ａにファイル用穴３５を穴あけ処理（手順Ｓ２６）したのち、紙送り用モータ６２を駆動して搬送ロール６２ａ，６２ｂ，６２ｃにより所定位置に穴あけされた用紙６１ａを印刷部６５の内部で印刷領域３３の印刷開始位置まで送り込み（手順Ｓ２７）して、領収書データの入力待ち（手順Ｓ２８のＮＯ）となる。
【００８０】
手順Ｓ２８が「ＹＥＳ」で領収書データの入力があった場合には、所定の領収書印刷処理（手順Ｓ２９）が実行される。手順Ｓ２９では、販売店の場合、例えばバーコードリーダで最初の商品のデータが入力された際、販売店名、電話番号、日付時刻、取扱い店員名などの所定事項に続いて、販売商品データが制御部６６の制御で印刷部６５により印刷される。印刷に伴い紙送り用モータ６２が駆動され用紙６１ａが移動する。最後の商品に対する入力が終了した際に店員により入金処理と集計要求があるので、領収書印刷処理の終了が認識可能である。これら領収書データはＰＯＳ用端末２０で記憶され演算処理され印刷データのみが制御部６６に送られるものである。
【００８１】
手順Ｓ２９の印刷処理終了で、制御部６６は、必要があれば、紙送り用モータ６２を駆動して印刷済みの用紙６１ａを位置調節し、印刷部６５にある印刷末尾が切裂部１５の切裂刃との間で所定の余白を有して領収書３０の後尾端辺３４を形成できるように停止する。
【００８２】
通常、制御部１６は、上記手順Ｓ２９の印刷終了で切裂部１５を駆動して用紙６１ａを切裂き処理（手順Ｓ３０）し、領収書３０の後尾端辺３４と共に用紙６１ａの先頭端辺を形成させる。
【００８３】
次いで、制御部１６は、紙送り用モータ６２を駆動して搬送ロール６２ｃのみを送り動作させ、切離された領収書３０をプリンタ外部に送出（手順Ｓ３１）する一方、手順Ｓ２６に戻って穴あけ部６３を駆動し、停止中の用紙６１ａに穴あけしたのち、手順Ｓ２７で用紙６１ａを印刷部６５まで送り込みして手順Ｓ２８の「ＮＯ」で次の領収書データ待ちとなる。
【００８４】
このような構成を採用したので、印刷の前に用紙を所定位置に停止させて穴あけを実行し、用紙を出口近辺まで送り出しているので、領収書データの入力を待って領収書データを印刷し、印刷終了で用紙を切り裂くことにより領収書を切り離して直ちに顧客に提供している。
【００８５】
このような処理手順のため、販売商品から商品データを入力した際には直ちに印刷を開始し、集計後に用紙送りの時間も不要で、穴あけ処理は次の顧客を迎える間に実行されるので、上述した実施例１と比較しても印刷終了後直ちに、用紙の送り時間なしで顧客に領収書を渡すことができる。
【００８６】
上記説明では図面を参照しているが、機能ブロックにおける分離併合または手順における並行処理もしくは前後の入替えなどの変更は上記機能を満たす限り自由であり、上記説明が本発明を限定するものではない。
【実施例４】
【００８７】
本発明の実施例４について図８を参照して説明する。
【００８８】
図８の実施例４は、上記実施例３の領収書用プリンタが印刷機能だけでなく、小売店の金銭レジスタ用プリンタとして使用できるものである。
【００８９】
すなわち、図８が図６と相違する個所は、記憶部７７の内容に、外部の情報処理端末の接続なしで、すなわちプリンタ単独で各種設定できるソフトウェアを搭載し、入力部７８と画面表示部７９とを備えているところである。これ以外は、図８の７０番台を図６の６０番台に読み替えればよい。
【００９０】
入力部７８はユーザ入力のキーボード、バーコードリーダなどを含む。画面表示部７９は入力部７８の指示により所定の情報を画面に呼び出して表示できる。
【００９１】
したがって、本発明による領収書用プリンタ７０は、入力部７８のキー入力から印刷領域、穴あけ位置などの設定が可能であり、入力部７８から入力された領収書データを領収書用プリンタ７０から外部の情報処理端末、例えば、ＰＯＳ用端末、ＰＣ（パーソナルコンピュータ）などに転送し、収集整理して管理することができる。
【００９２】
［その他の実施例］
上記実施例１，３それぞれは構成要素の配列の相違があるが、何れも長さの相違する領収書のみを対象にして説明されている。しかしながら、上記実施例１，３の何れも、機能の追加により、長さが統一された実施例２の領収書を適用することができる。
【００９３】
また、実施例４は実施例３に機能追加して単独の金銭レジスタ用プリンタとしているが、実施例１に機能追加してもよい。
【００９４】
このように、上記実施例は相互に組み合わせた実施態様を形成できるものであり、上記説明が本発明を限定するものではない。
【産業上の利用可能性】
【００９５】
ロール紙を領収書に用い、ロール紙から出口方向に向かって直列に穴あけ部および切裂部を備え、その前後いずれかに印刷部を備え、ロール紙の先頭端辺近辺に印刷前にファイル用穴をあけて領収書データの入力を待つことによって、長さの異なる定幅の領収書にファイル用穴をあけて印刷終了後に速やかに顧客に渡すことができるというプリンタ用途に適用可能である。
【図面の簡単な説明】
【００９６】
【図１】ＰＯＳシステムの領収書用プリンタにおけるブロック構成の実施の一形態を示した説明図である。（実施例１）
【図２】図１を参照して説明する領収書表面の実施の一形態を示した説明図である。（実施例１）
【図３】図１の領収書用プリンタにおける主要動作手順の実施の一形態を示したフローチャートである。（実施例１）
【図４】図２とは異なる領収書表面の実施の一形態を示した説明図である。（実施例２）
【図５】図４の領収書形状を用いた領収書用プリンタにおける動作手順の実施の一形態を示したフローチャートである。（実施例２）
【図６】図１と異なる領収書用プリンタにおけるブロック構成の実施の一形態を示した説明図である。（実施例３）
【図７】図６の領収書用プリンタにおける主要動作手順の実施の一形態を示したフローチャートである。（実施例３）
【図８】図１および図６と異なる領収書用プリンタにおけるブロック構成の実施の一形態を示した説明図である。（実施例４）
【図９】従来のファイルの一例を示した説明図である。
【図１０】従来の汎用プリンタにおけるブロック構成の一例を示した説明図である。
【符号の説明】
【００９７】
１０、６０、７０    領収書用プリンタ
１１、６１、７１    ロール紙
１１ａ、６１ａ、７１ａ    用紙
１２、６２、７２    紙送り用モータ
１２ａ、１２ｂ、６２ａ、６２ｂ、６２ｃ、７２ａ、７２ｂ、７２ｃ    搬送ロール
１３、６５、７５    印刷部
１４、６３、７３    穴あけ部
１５、６４、７４    切裂部
１６、６６、７６    制御部
１７、６７、７７    記憶部
２０    ＰＯＳ用端末
２１    領収書データ受付処理部
３０、５０    領収書
３１、５１    先頭端辺
３２、５２ａ、５２ｂ    穴あけ領域
３３、５３    印刷領域
３４、５４    後尾端辺
３５、５５ａ、５５ｂ    ファイル用穴
７８    入力部
７９    画面表示部
【図１】
2006051710.tif 000003
【図２】
2006051710.tif 000004
【図３】
2006051710.tif 000005
【図４】
2006051710.tif 000006
【図５】
2006051710.tif 000007
【図６】
2006051710.tif 000008
【図７】
2006051710.tif 000009
【図８】
2006051710.tif 000010
【図９】
2006051710.tif 000011
【図１０】
2006051710.tif 000012